(57)【特許請求の範囲】
【請求項１】
オストミー嚢用のフィルタ付き放出孔アセンブリを有する装置において、
フィルタ付き放出孔アセンブリは、フィルタ要素と、該フィルタ要素を通してガスの流量を可変に制御するための可変流量出口孔装置とを有し、
該可変流量出口孔装置は、複数の出口孔をなす手段と、該出口孔の１つ以上を選択的に露出又は閉塞するように配置したり再配置したりすることができる接着性ステッカー手段とを有し、
使用時に、フィルタ要素を通るガスの流量は、露出又は閉塞される上記出口孔の数に従って制御され、
接着性ステッカー手段は、出口孔の全てを閉塞できるに十分なサイズであるように寸法構成されたステッカーであって、ワンピースで移動自在なステッカーを有することを特徴とする装置。
【請求項２】
１つ以上の出口孔は、そこにステッカーが接着できる層における孔からなることを特徴とする請求項１に記載の装置。
【請求項３】
１つ以上の出口孔は、１つ以上の出口孔間又は溶着セグメント間に間隙を有することを特徴とする請求項１又は２に記載の装置。
【請求項４】
出口孔の上流に設けられた流れ限定層を更に有することを特徴とする請求項１〜３のいずれかに記載の装置。
【請求項５】
流れ限定層は、微孔性材料からなることを特徴とする請求項４に記載の装置。
【請求項６】
第１壁と、該第１壁用の快適層とを有するオストミー嚢であって、
該第１壁には、請求項１〜５のいずれかに記載の装置が備えられたことを特徴とするオストミー嚢。
【請求項７】
上記複数の出口孔をなす手段は、快適層の外側に配置されたプラスチック材料からなる少なくとも１つのセグメントを有し、
上記ステッカーは、該セグメントに接着自在であることを特徴とする請求項６に記載のオストミー嚢。
【請求項８】
上記プラスチック材料は、ステッカーが接着できる大略平滑な表面を有することを特徴とする請求項７に記載のオストミー嚢。
【請求項９】
上記プラスチック材料は、実質的に非透過性材料であることを特徴とする請求項７又は８に記載のオストミー嚢。
【請求項１０】
上記プラスチック材料は、快適層の一部を覆い、且つ、快適層を通して嚢の下に位置する上記第１壁に固定されることを特徴とする請求項７〜９のいずれかに記載のオストミー嚢。
【請求項１１】
上記プラスチック材料は、フィルタ要素を覆う外側カバーを形成し、且つ、該フィルタ要素の周囲の上記第１壁に固定されることを特徴とする請求項１０に記載のオストミー嚢。
【請求項１２】
取り付け線は、連続的であることを特徴とする請求項１１に記載のオストミー嚢。
【請求項１３】
取り付け線は、濾過されたガスを放出できる複数の出口孔を設けるために不連続であることを特徴とする請求項１１に記載のオストミー嚢。
【請求項１４】
快適層は、嚢の少なくとも上部の大部分の外側に設けられていることを特徴とする請求項６〜１３のいずれかに記載のオストミー嚢。
【請求項１５】
更に、嚢を人間の皮膚に固定する接着性ウェーハーを有し、
該接着性ウェーハー又は該接着性ウェーハーに設けられたカバー層に、該接着性ウェーハーを所望の開口部サイズに切断することを可能にするガイドラインが備えられ、
該ガイドラインは、少なくとも１つの大略円形のガイドラインと、少なくとも１つの大略非円形のガイドラインとを有することを特徴とする請求項６〜１４のいずれかに記載のオストミー嚢。
【請求項１６】
上記１つ又は複数の非円形のガイドラインは、競技トラックの形状を有することを特徴とする請求項１５に記載のオストミー嚢。
【請求項１７】
複数の円形のガイドラインと、複数の非円形のガイドラインとが設けられていることを特徴とする請求項１５又は１６に記載のオストミー嚢。
【請求項１８】
接着性ウェーハーは、取り付けの閉鎖ループ線の周囲の包膜に固定され、
その取り付け線は、非円形及び非競技トラックの形状を有することを特徴とする請求項１５〜１７のいずれかに記載のオストミー嚢。
【請求項１９】
上記取り付け線は、円形と競技トラックの形状との組み合わせにより規定され、
当該組み合わせた形は、他方に重畳した一方のシルエットに対応することを特徴とする請求項１８に記載のオストミー嚢。
【発明の詳細な説明】
【０００１】
本発明は一時的、または常置的なオストミー開口部から老廃物、または排出物を収集するオストミー嚢に関する。本発明は、人口嚢保持者の身体に嚢を取り付けるために、嚢が取り付けパッドまたはウェーハーと不可分となっている、いわゆる一体型設計、および嚢を人口嚢保持者に固定しているパッド、またはウェーハーが嚢から分離しており、着脱式に取り付けられるいわゆる二体型設計に等しく適用できる。
【０００２】
本発明の一面は、或るオストミー嚢に通常設けられるフィルタ付き放屁放出孔に関する。放出孔は、嚢の膨張を避けるために嚢内の放屁ガスを漏洩させる。初めのうちはガスを放出孔から流さないように、放出孔の出口の上に最初に接着されるステッカーが、時々設けられる。この目的は先ず、嚢が身体に着けられた時、或るガスを嚢内で蓄積し、それによって嚢の側面に望ましくないパンケーキを起すような相互の付着を生じさせないことにある。嚢が一旦膨らみ始め（そして側面が互いに剥離す）ると、ステッカーは放屁を通常の方法で放出させるために除去できる。
【０００３】
広い一面から見ると本発明は、複数の出口孔を持つオストミー嚢用のフィルタ付き放出孔、およびこの複数の出口孔の一個以上を選択的に開放、または閉塞するように配置される接着ステッカー手段を提供する。
【０００４】
この面は、放出孔を通過する放屁の流量を使用者に制御させる、非常に単純であるが、しかし、便利な手段を提供する。これはステッカー、および一個の出口が、単に開／閉制御を提供する従来技術と対照的である。ステッカーが除去された時、（特定の人間の物質代謝、および消化した食糧によって）フィルタを通るガスの流量が過度に多ければ、嚢の側部は再度相互に付着しようとし、パンケーキを生じる。しかしながら、本発明のこの面によれば、人口嚢保持者は、放屁が放出する率を制御するために、希望する出口孔の数を選択的に閉塞または開放でき、それによってパンケーキを防止するために嚢の膨張の度合いを制御できる。
【０００５】
一実施例においてステッカー手段は、（適当に配置された時）全出口孔を閉塞できるのに十分なサイズを持ち、およびオフセット位置に移動することにより出口の一個以上を露出できるように、大きさが定められる。
【０００６】
別の実施例では、パッチ手段は各セグメントの下の一個以上の出口を選択的に露出するために剥がすことのできる、多数の分離式ステッカーより成る。
【０００７】
更に別の形式では、ステッカー手段は、それぞれの出口に取りつけられ、そしてそれから除去される複数の個々のステッカーを有する。
【０００８】
出口は、スリットの形か、または例えばフィルタを覆うようなプラスチックフィルムの形式の他の開口部の形式で良い。あるいは、出口は一個以上の溶着、または溶着セグメント間の間隙の形式でも良い。
【０００９】
もし望むならば、出口孔の上流に流れ限定層が設けられても良い（例えば、出口孔開口部を持つプラスチック層の下で）。これにより開口部は大きくでき、開口部のサイズに微妙に左右されることなく、より容易に特定できる。
【００１０】
更に別の面では、本発明はオストミー嚢、開口手段を有する放出孔、開口手段の上流の流れ限定層、および一個以上の開口手段の区域を選択的に閉塞するために配置される接着性ステッカー手段を提供する。
【００１１】
流れ限定層の存在は、流れがこの層によって限定されるのでより大きな開口部が使用できるようにする。開口部は一個の開口部（例えば比較的大きな開口部）、または複数の個々の開口部のいずれでも良い。
【００１２】
流れ限定層は、例えば、微孔性材料より成る。この層は、或る実施例ではフィルタ要素で形成される。
【００１３】
更に別の面では、本発明は、いわゆる快適層を持つオストミー嚢に関する。このような快適層は一般的に柔軟で透過性があり、より快適な装着特性を与えるために嚢の非透過性のプラスチック壁の外側に設けられている。顧客は一般的に裏面（すなわち皮膚に近い方）および表面（すなわち着用者の衣服に面する方）の両方に快適層が設けられることを好む。
【００１４】
この面において本発明は、嚢の第一壁が快適層と放屁放出孔を備え、嚢は更に放出孔を通した放屁の流れを制御するために放出孔に取り付けられ、または取り付け可能な接着性ステッカー手段を有するオストミー嚢を提供する。
【００１５】
放出孔の出口孔は、快適層の外側に配置された平滑な、実質的に非透過性のプラスチック材料の少なくとも一個のセグメントによって規定されることが好ましい。このことは、ガス密（または少なくとも実質的にガス密）なシールを与えるために接着性ステッカー手段に接着を行わせ、およびそれによってステッカーに放出孔を通したガス流を制御させ得る卓越した特性を表面に提供する。発明者の最善の知識によっても、これまで快適層を有する壁を通した放出孔にステッカーを採用するということは知られていない。この好ましい実施例では、快適層の外側の平滑なプラスチック材料の備えは、この問題を解決できる。
【００１６】
以上説明したように、パンケーキを防止するために少なくとも最初は放出孔を通る放屁の流れを閉塞、または限定する装備の或る形式の必要性がある。快適層を添えた嚢を持つ簡単な接着性ステッカー手段を提供する能力は、非常に重要な優位性である。
【００１７】
快適層は、嚢の少なくとも上側部分の大部分の外側に設けられていることが好ましい。上述の平滑材料は快適層の一部分を覆い、および快適層を通して（例えば溶着、または接着によって）嚢の下部壁に固定されることが好ましい。
【００１８】
快適層の外側の平滑材料はフィルタの外側カバーを形成し、およびフィルタ周囲の下側の嚢壁に固定される。取り付け（例えば溶着）の線は連続的か、または一個以上の放出孔出口を与えるために不連続である。
【００１９】
他の面によれば、本発明は快適層を持つオストミー嚢に対するフィルタ付き放出孔の構造に関する。
【００２０】
この第三の面によれば、本発明は、実質的に液体またはガス非透過性プラスチック材料の第一壁、放屁の放出を行う第一壁に設けられた開口部、第一壁の外側に設けられた快適層、および快適層の外側に設けられ、快適層を通して第一壁に固定されたフィルタカバー層を有するオストミー嚢を広く提供し、ここでカバー層、およびカバー層の下側にある第一壁の一部分は、開口部を通して放出される放屁の処理用フィルタが収納されるハウジングを規定する。
【００２１】
フィルタは例えば、放屁を脱臭する材料、および／または第一壁を通して偶発的に漏れ出る如何なる液体をも吸収する材料を含む。
【００２２】
フィルタは、第一壁と快適層間に配置される。この場合フィルタは、第一壁の開口部の周囲のシールを備えるために、第一壁に取り付けられるのが好ましい。あるいはフィルタは、快適層とカバー層間に設けられる。この場合、フィルタはカバー層に取り付けられるか、または第一壁に取り付けられる。
【００２３】
本発明の更に別の面は、嚢を着用者の皮膚に固定するために従来から提供されている接着性ウェーハーに関する。この広い面によれば、ウェーハー（またはウェーハーに設けられたカバー層）は、希望する開口部のサイズにウェーハーを切断するできるようにガイドラインが設けられており、このガイドラインは少なくとも一個の一般的に円形ガイドライン、および少なくとも一個の非円形ガイドラインを含む。
【００２４】
非円形ガイドラインは、一般的に直線側面と円形端部持つ形を規定する、いわゆる競技トラックガイドラインであることが好ましい。
【００２５】
複数の円形、および複数の非円形ガイドラインが設けられることが好ましい。
【００２６】
本発明のこの面は、（開口部が通常円形である）従来のオストミーの適用、および一時的オストミーの適用（例えばループオストミー）を含む他の適用に使用可能である同じ嚢を利用できる。一時的オストミー適用に対しては、人口嚢保持者の腸の一時的な襞を適応させるために、より伸張した開口部が望まれる。
【００２７】
発明者の最善の知識をもってしても、これまで嚢は専ら円形のガイドライン、または専ら競技トラックのガイドラインによってのみ利用可能であった。このことは、望ましい適用に適合するために特定の嚢が得られなければならない、ということを意味してきた。しかしながら本発明によれば、使用者が真円形、または非円形開口部サイズに非常に簡単に適応できる一個の嚢が提供される。
【００２８】
本発明のこの面は、一体型嚢設計、または二体型嚢設計のいずれにも使用できる。特に（しかしそれのみではないが）一体型設計に対しては、ウェーハーは非円形および非競技トラック形を持つ、溶着またはグルーラインの手段によって嚢（または嚢結合部材）に固定されることが好ましい。形は円形、および競技トラック形の組み合わせによって規定されることが好ましく、形は一方が他方に重畳されたシルエットに対応する。
【００２９】
このような溶着（またはグルー）ラインは、接着性ウェーハーに不必要に大きいことを要求せずに大きな円形、または競技トラック状の切り抜きを適応するために最も効果的な形である。
【００３０】
ウェーハーはまた、一般的に一方が他方に重畳した円形、および競技トラック形のシルエットに基づく「ハイブリッド」の外部の形を持つことが好ましい。
【００３１】
ガイドラインは、接着性ウェーハー上に直接（印刷によって）設けられるか、または使用前にウェーハーの接着性表面を保護するリリースシートに設けられる、ということが認識されるであろう。リリースシートは、接着性ウェーハーが皮膚に圧着される前に、剥がされるように意図されている。
【００３２】
上記の各面は互いに独立して使用されるが、上記の各面の二つ、またはそれ以上を一緒に組み合わせることにより、更なる便益が生じる。本発明は、上記の各面のいづれも組み合わせて使用される、ということを予期している。
【００３３】
本発明の実施例が添付図面を参照して例示用のみに記述される。
【００３４】
図１−５を参照して、オストミー嚢１０は、共に実質的に液体、およびガスに対して非透過性である、プラスチック材料の前壁１２、および後壁１４により形成される包膜を有する。このようなプラスチック材料は当該技術分野では良く知られており、一般的にポリ塩化ビニリデン（PVDC）のバリヤー層の両側に一層以上のエチレンビニルアセテート（EVA）の積層品より成る。他の材料は希望通りに使用される。
【００３５】
前快適層１６は前壁１２の外側に配置され、および後快適層１８は後壁１４の外側に配置される。快適層は一般的に柔軟で、気体および液体を透過する。一般的に快適層は、ナイロンまたはポリエチレンまたはポリエステル、ビスコースおよびレーヨンの混合から作られる。
【００３６】
前および後壁１２および１４、および快適層１６および１８は、周辺の継ぎ目２０付近で溶着により互いに固定されている。溶着は、例えばRF溶着ヘッドによって行われる。あるいは、継ぎ目はインパルス溶着、または加熱シール、および切断プロセスによって形成される。
【００３７】
フィルタハウジング２２は、前壁１２の上側部分の方に位置決めされる。ハウジングは、一般的にガス密な方法で前快適層１６を通して前壁１２に固定される。本実施例では、フィルタカバー２４は、溶着によって取り付けられ、および溶着によって生じた熱は、フィルタカバー２４と前壁１２間の確かなシールを行うために、快適層を少なくとも部分的に溶解するのに十分である。フィルタカバーは、例えば前および後壁１２および１４と同じ材料で作られる。
【００３８】
開口部２６は、フィルタカバー２４の下で前壁１２に形成され、およびフィルタ要素２８は、開口部２６の上で前壁１２に固定される。この実施例では、フィルタは放屁ガスを脱臭する脱臭フィルタであり、炭素のような脱臭剤を含む。フィルタは炭素を収納する泡沫より成り、または木炭布のような他の材料より成る。もし希望するならば、フィルタは開口部２６を通して偶発的に漏れ出るいかなる液体も吸収する、超吸収剤のような追加の添加剤を含んでも良い。
【００３９】
適当な脱臭フィルタはFreudenberg有限会社によって例えば「オプション２０」の照会の下に製造されている。
【００４０】
フィルタは前壁１２と前快適層１６間にあるように図示されているが、他の実施例ではフィルタは、フィルタカバー２４と快適層１６間、または前壁１２の他の側面（すなわち包膜の内側）に配置される、ということが認識されるであろう。フィルタは、放屁がフィルタ要素２８の外側を回って漏洩することを防ぐために、少なくとも前壁１２とフィルタカバー２４の一方にシールされることが必要である。
【００４１】
複数のガス出口３０が、フィルタカバー２４に形成されている。好ましい実施例では、出口３０はフィルタカバー２４の比較的小さな（ピンホール）開口部である。開口部の数は希望によって変えられ、本実施例では四個の開口部が図示されている。
【００４２】
一個以上の開口部３０が、接着性ステッカー３２によって選択的に閉塞される。図３で最も良く見られるようにステッカーは、主円形部分３４、およびステッカーが掴まれ、フィルタカバー２４の表面から剥がすことができるためのフィンガータブ３６より成る。
【００４３】
複数の開口部３０、およびステッカー３２の組み合わせにより、使用者は放出孔、およびフィルタを通したガス流の割合を制御できる。図３（ａ）で最も良く見られるように、主円形部分３４のサイズは、適当に配置された時、ステッカーが四個の全開口部３０を閉塞するのに十分な大きさである。この状態はフィルタ放出孔を通る流れを完全に遮断する。
【００４４】
図３（ｂ）−（ｅ）に図示されるように、ステッカー３０を適当に配置することにより、開口部３０の１、２、３または４個総ては、フィルタ放出孔を通る流量を漸進的に増加させるために順次露出される。ステッカーのこのような使用は、使用者に非常に強力な、それでいて使用に容易な流れ制御を提供する。
【００４５】
その上、前快適層１６の外側の材料（この場合フィルタカバー２４）の使用により、ステッカーが実質的にガス密ステッカーシールを果たすように適用される、ということが認識されるであろう。ステッカーは、もし多孔質の快適層に直接適用されたならば、実際効果的ではないであろう。
【００４６】
図１および４を参照して、後壁１４および後快適層１８は、人口嚢保持者の小孔を受け入れ、および小孔の排出物を包膜に入れるための小孔開口部３８を有する。後壁１４に取り付けられ、および小孔開口部３８を囲んで、嚢を人口嚢保持者の皮膚に固定させる接着性ウェーハー４０がある。
【００４７】
ウェーハー４０は、一般的に皮膚に適合する接着剤４２の層、後壁１４に溶着されたプラスチック材料の裏当て層４４、および接着面を露出させるためにそれによってリリースシュート４６が接着剤４２から剥がすことのできるフィンガータブ４８を持つシリコン製リリースシート４６より成る。図４で最も良く見られるように、リリースシート４６には、使用者が装着前に希望する開口部のサイズにウェーハーを切断できるように、ガイドライン５０（５０ａおよび５０ｂ）が印刷されている。これは人口嚢保持者か、または看視看護婦または他の医療従業者によって行われる。
【００４８】
この実施例では、ガイドラインは円形ガイドライン５０ａおよび非円形（競技トラック）ガイドライン５０ｂを含む。円形ガイドライン５０ａは、常置的な小孔に適するために異なるサイズの円形開口部の範囲を規定し、それは一般的に円または円に近い形状を持つ。競技トラックガイドライン５０ｂは、一時的な小孔（例えば、腸の一部分が引き出され、適当なロッドの周囲に折り畳まれ、および伸張した一時的小孔を規定するために「薄切り」開口する、ループオストミー操作で形成される小孔）に適する多数の異なるサイズの伸張開口部を規定する。
【００４９】
上記のように、裏当て層４４は後壁１４に溶着される。溶着線は図４で隈取領域５２により図示される。溶着線５２は競技トラック形に重畳される円形のシルエットである形を規定する。この実施例では、溶着線５２は最大可能な円の切り抜き、および最大可能な競技トラックの切り抜きを囲むシルエットに対応する。溶着線５２のこのような特別な形を使用することにより、ウェーハーのサイズ、またはウェーハー４０および嚢１０間の溶着線のサイズを不必要に増加することなく、大きな円の切り抜き（例えば図５（ａ）を参照）、および大きな競技トラックの切り抜き（例えば図５（ｂ）を参照）を適応させる、より広い用途の嚢設計を提供することができる。
【００５０】
図４に図示したように、ウェーハー４０の全体的な形は溶着線５２の形に類似しており、および競技トラック形に重畳された円形のシルエットに対応する。
【００５１】
上記実施例は一体型嚢であるが、同じ原理が接着性ウェーハー４０が嚢の残りの部分に常置的に固定されておらず、例えば機械的結合、または接着結合によって解放可能に嚢に取り付けられる分離要素５８である二体型嚢（図６）にも適用される、ということが認識されるであろう。このような結合は当該技術分野では良く知られており、これ以上の説明の必要はない。
【００５２】
図７（ａ）および（ｂ）は、流量に対して限定を与えるために、一つの形式でのフィルタカバー２４の開口部のサイズと開口部の必要性との間の関係を図示する。調整可能な流れを達成するために、各個々の開口部は放屁ガスの流れに限定を与えなければならない、ということが認識されるであろう。これは開口部３０を適当に小さく、例えばスリットの形式（図７（ａ））に作ることにより達成できる。あるいは、各開口部３０を通る流れを限定するためにフィルタカバー２４の下に流れ限定層６０が設けられる。これにより、遥かに大きい開口部が使用でき、もし狭いスリットが使用された場合よりも、それらをより容易に特定できる。適当な限定層は微孔性材料である。
【００５３】
図８（ａ）および（ｂ）は、快適層の存在しない改良されたフィルタ構造を図示する。この実施例では、フィルタ要素２８は、前壁１２の内面にある包膜内部に置かれている。前壁１２の開口部２６は一般的に直径約８−１０ｍｍである。ステッカーを使用することで流れを制御するために、フィルタカバー２４（ここでは単に外側カバー２４という）が前壁１２の外面に取り付けられ、および小さなピンホール３０が設けられている。各ピンホール３０のサイズは、一個以上の開口部がステッカー３２により覆われた時、開口部を通した放屁の流れを限定するために十分小さい。より容易な特定のために、もし、より大きな開口部３０が要求されるならば、もし望むならば、限定層６０と類似の限定層（図示せず）がカバー層２４に下に設けられる。
【００５４】
この実施例では、フィルタ要素２８が包膜内部に置かれているので、嚢中の糞物質がフィルタ要素２８と直接接触することを防ぐために、準多孔質の保護膜、またはカーテン、６２が、フィルタの内面上に設けられていることが好ましい。
【００５５】
図９（ａ）および（ｂ）は、フィルタ要素２８が嚢の前壁１２の外側に置かれている別の改良型実施例を図示する。カバー層２４は一般的に直線配置の三個の比較的大きな開口部３０を持つ。限定層６２（微孔膜）は開口部のサイズ用に要求された流れ限定を提供するためにカバー層２４の下に置かれる。開口部３０は、直線状に配列されているので、限定層６２は材料の浪費を低減するために狭い帯形式に設けられている。
【００５６】
図１０（ａ）―（ｂ）は、流れをゼロ（図１０（ａ））から最大流れまで変化するための開口部３０上のステッカー３２の色々な位置を図示する。
【００５７】
図１１（ａ）―（ｂ）はフィルタハウジングの更に別の改良された構造を図示する。カバー層２４がフィルタ要素２８の周囲で完全にシールされ、カバー層２４を通した開口部３０を持つ先の実施例とは対照的に、本実施例は、完全に非透過性のカバー層６４を採用し、および放出孔出口はカバー２４を嚢の前壁１２に固定している溶着セグメント間の間隙６６によって規定される。本実施例では、カバー２４はフィルタ周囲の輪郭に適合するように丸い端部７０と、ガス出口６６が規定される方形端部７２を持つように図示されている。
【００５８】
図１２（ａ）―（ｅ）は、出口６６を通る流量がいかにステッカー手段によって制御され得るかを図示する。一個のステッカーが先の実施例と同様に使用されるが、ここではセグメント７６より成る多重セグメントステッカー７４が採用される。流量は個々のセグメントを出口６６から剥がすことにより制御される。セグメントは相互に分離しており、またはセグメントが剥がされるように破断パーフォレーション７８によって相互に取り付けられている。
【００５９】
図８−１２に図示した実施例は、快適層を有していないが、実施例は第一実施例に記述したのと同じ原理を使用した快適層を有するように変更される、ということが認識されるであろう。
【００６０】
細部の多くの変更が本発明の範囲と原理から逸脱せずに作られる、ということが認識されるであろう。特に重要であると思われる特徴はが添付の特許請求項に規定されるが、強調点がそこに置かれるか否かに拘わらず、出願人はここに記述され、および／または、図面に図示された如何なる新規な特徴、およびアイデアに対する保護を請求する。
【図面の簡単な説明】
【図１】  オストミー嚢の第一実施例の断面図である。
【図２】  フィルタおよびフィルタハウジングの構造を示す略式分解組立図である。
【図３】  流れ制御用ステッカーの調整を示す略式平面図である。
【図４】  図１の嚢の裏面図である。
【図５】  図４に示すウェーハーの開口部の異なる切り抜きの説明図である。
【図６】  機械的結合を持つ改良された嚢とウェーハーの略図である。
【図７】  フィルタカバーの改良された設計を示す略図である。
【図８】  フィルタの別の構造を略図である。
【図９】  フィルタの更に別の構造の略図である。
【図１０】  図９のフィルタを通る流れを制御するステッカーの配置の略図である。
【図１１】  フィルタの更なる改良された設計の略図である。
【図１２】  図１１ａおよび１１ｂのフィルタを通る流れを制御するステッカーの剥ぎ取りを略図である。
【符号の説明】
１０  オストミー嚢
１２  前壁
１４  後壁
１６，１８  快適層
２０  継ぎ目
２２  フィルターハウジング
２４  フィルターカバー
２６  開口部
２８  フィルタ要素
３０  ガス出口、開口部、ピンホール
３２  ステッカー
３４  主円形部分
３６  フィンガータブ
３８  小孔開口部
４０  ウェーハー
４２  接着剤
４４  裏当て層
４６  リリースシュート
４８  フィンガータブ
５０，５０ａ，５０ｂ  ガイドライン
５２  溶着線
６０  限定層
６２  保護膜
６４  カバー層
６６  間隙、ガス出口
７０  端部
７２  端部
７８  破断パーフォレーション
【図１】
0004309520.tif 000002
【図２】
0004309520.tif 000003
【図３】
0004309520.tif 000004
【図４】
0004309520.tif 000005
【図５】
0004309520.tif 000006
【図６】
0004309520.tif 000007
【図７】
0004309520.tif 000008
【図８】
0004309520.tif 000009
【図９】
0004309520.tif 000010
【図１０】
0004309520.tif 000011
【図１１】
0004309520.tif 000012
【図１２】
0004309520.tif 000013